(57)【特許請求の範囲】
【請求項１】
脚体の上端に設けた支持フレームと、座体と、背もたれが取付く傾動体とを備えており、前記支持フレームの前部に、第１枢支軸によって座体を後傾動自在に枢支する一方、座体の後部に、前記傾動体の前後中途部位に貫通した第２枢支軸を嵌め込み、更に、傾動体の前端部を、支持フレームに対して略前後方向に移動自在で上向き抜け不能に係合した３枢支軸に係着し、第３枢支軸を前方からばねで支持している椅子であって、
第２枢支軸を支持するために座体に回転自在に設けた軸受けに第２枢支軸を偏心した状態で嵌め込むか、又は、第１枢支軸を支持するために支持フレームに回転自在に設けた軸受けに第１枢支軸を偏心した状態で嵌め込み、前記軸受けには、当該軸受けを回転操作するためのレバー又はハンドルを設け、軸受けの回転操作によって第２枢支軸又は第１枢支軸の高さが高低変化するように設定している、
椅子。
【発明の詳細な説明】
【０００１】
【発明の属する技術分野】
本発明は、座体又は背もたれの初期姿勢を調節できるようにした姿勢調節装置を備えた椅子に関するものである。
【０００２】
【従来の技術・発明が解決しようとする課題】
椅子において、背もたれや座体がばねに抗して後傾動し得るように構成していることは、特段の説明を要するまでもなく周知の通りである。しかし、従来の椅子は、人が背もたれにもたれ掛かったときに、背もたれのみ又は背もたれと座体とがばねに抗して後傾動するように設定しているに過ぎない。換言すると、座体や背もたれの初期姿勢（側面視での角度）は一定であった。
【０００３】
このために、例えば座体が背もたれに連動して後傾動する椅子の場合、人によっては、背もたれにもたれ掛かったロッキング状態で座体の先端部で大腿部が突き上げられる現象が生じることがあった。また、人が背もたれにもたれ掛かっていない初期状態での座体又は背もたれの初期姿勢も人の好みによって相違するが、従来の椅子では座体及び背もたれの初期姿勢は一定であったため、人の好みの違いに対応できない問題があった。
【０００４】
本発明は、これらの問題を解消することを目的とするものである。
【０００５】
【課題を解決するための手段】
この目的を達成するため本願発明は、脚体の上端に設けた支持フレームと、座体と、背もたれが取付く傾動体とを備えており、前記支持フレームの前部に、第１枢支軸によって座体を後傾動自在に枢支する一方、座体の後部に、前記傾動体の前後中途部位に貫通した第２枢支軸を嵌め込み、更に、傾動体の前端部を、支持フレームに対して略前後方向に移動自在で上向き抜け不能に係合した３枢支軸に係着し、第３枢支軸を前方からばねで支持している椅子において、第２枢支軸を支持するために座体に回転自在に設けた軸受けに第２枢支軸を偏心した状態で嵌め込むか、又は、第１枢支軸を支持するために支持フレームに回転自在に設けた軸受けに第１枢支軸を偏心した状態で嵌め込み、前記軸受けには、当該軸受けを回転操作するためのレバー又はハンドルを設け、軸受けの回転操作によって第２枢支軸又は第１枢支軸の高さが高低変化するように設定している。
【０００６】
第２枢支軸を軸受けに偏心した状態で嵌め込むと、座体と背もたれとの両方の初期姿勢を調節することができ、また、第１枢支軸を軸受けに偏心した状態で嵌め込むと、座体のみの初期姿勢を調節できる。
【０００７】
【０００８】
【０００９】
【００１０】
【発明の奏する効果】
本願発明では、前記したように、レバーを手で持って軸受けを回転操作すると、当該軸受けで支持された枢支軸の高さが変化するため、軸受けに嵌まった枢支軸で支持された傾動体若しくはこれと座体との両方の初期姿勢（側面視での姿勢）が変化する。
【００１１】
従って、本願発明によると、座体や背もたれの初期姿勢をユーザーの体格や好みに応じて調節することができるから、１種類の椅子で、ユーザーの個人差に応じた座り心地を実現できる効果を有する。
【００１２】
特に、第２枢支軸を軸受けに偏心した状態で嵌め込むと、ごく簡単な構成によって座体と背もたれとの初期姿勢を同時に変更できる利点がある。
【００１３】
【００１４】
【発明の実施形態】
次に、本願発明の実施形態を図面に基づいて説明する。
【００１５】
図１〜４は第１実施形態であり、このうち図１は椅子の縦断側面図、図２は図１のII−II視平面図、図３は要部の分離斜視図、図４は作用を示す図である。
【００１６】
椅子は、ガスシリンダ等の脚体１の上端に固着した支持フレーム２と、その上方に配置した座体３と、後傾動自在な背もたれ４とを備えている。支持フレーム２は正断面略上向き開口コ字状に形成されている。他方、座体３の下面には正面視略下向き開口コ字状の座受け体５が固着されており、座受け体５の前端部の側板5aと支持フレーム２の側板2aの前端部とを第１枢支軸（前枢支軸）６によって枢支している。従って座体３は第１枢支軸６を中心にして後傾動し得る。
【００１７】
前記背もたれ４は側面視で略Ｌ字状に形成した傾動体７に取付けており、傾動体７のうち水平部の前後中途部位と前記座受け体５の左右側板5aとを第２枢支軸（後枢支軸）８によって枢支している。傾動体７は支持フレーム２の外側に位置しており、左右傾動体７の先端間に、支持フレーム２の側板2aに貫通した第３軸９を装架している。
【００１８】
前記第３枢支軸９は、支持フレーム２の左右側板2aに側面視で緩い角度で後傾状に延びるように形成したガイド穴10に摺動自在に嵌まっている。また、第１枢支軸６と第３枢支軸９とにはそれぞれ前後ばね受け11,12 が被嵌しており、両ばね受け11,12 の間に圧縮ばね13を装架している。従って、背もたれ４及び座体３は圧縮ばね13に抗して一緒に後傾動する。第３枢支軸９は前方に移動しつつ傾動体７が後傾するため、座体３の後傾の度合いよりも背もたれ４の後傾の度合いが大きい。
【００１９】
なお、圧縮ばね13は、単に着座しただけでは変形せず、背もたれ４にもたれ掛かって傾動体７に大きなモーメントが作用すると始めて変形するような硬さに設定している。また
、後ばね受け12は、支持フレーム２に固着したガイド筒14に摺動自在に嵌挿している。
【００２０】
そして、前記第２枢支軸８によって傾動体７と座受け体５とを枢支するにおいて、傾動体７を座受け体５の内側に配置し、座受け体５の左右側板5aにそれぞれ軸受け15,16 を回転自在に嵌挿し、この軸受け15,16 に、前記第２枢支軸８を、その軸心17を軸受け15,16 の軸心18に対して若干の寸法Ｅだけ偏心させた状態で嵌挿している。第２枢支軸８は軸受け15,16 に回転自在に嵌めても良いし、軸受け15,16 に固着しても良い。
【００２１】
前記左右軸受け15,16 のうち一方の軸受け15を座受け体５の側方に向けて長く延長し、その先端に、半径外向きに延びるレバー19を突設している。従って、レバー19を手で持って両軸受け15,16 を略180 度程度回転させることにより、図１のように第２枢支軸８が軸受け15,16 の軸心18の上方に位置した高位置と、図4(A)のように第２枢支軸８が軸受け15,16 の軸心18よりも下方に位置した低位置との２段階に切り換えることができる。
【００２２】
図３や図4(B)に示すように、一方の軸受け15の基端に半径外向きの突起20を設ける一方、座受け体５の側板5aには左右一対のストッパー21を切り起こし形成しており、突起20を左右ストッパー21に当てることにより、軸受け15,16 の回転姿勢を規制するようにしている（図4(B)も参照）。
【００２３】
上記の説明より明らかなように、椅子のユーザーはレバー19を手で持って軸受け15,16 を回転することにより、座体３及び背もたれ４の初期姿勢を自分の体格や好みに応じて変更することができる。すなわち、座体３が水平面に対して成す初期角度θと背もたれ４の初期角度とを同時に２段階に変更できる。
【００２４】
実施形態のように、第２枢支軸８を高位置に調節した状態で第２枢支軸８が軸受け15,16 の軸心18の真上に位置するように設定すると、背もたれ４の後傾動によって第２枢支軸８に荷重が作用したときに、その荷重の作用線が軸受けの軸心18と第２枢支軸８との軸心17とを結ぶ線と重なるため、背もたれ荷重が軸受け15,16 を回転させるモーメントして作用することはなく、従って、軸受け15,16 を固定するロック手段を設ける必要がない利点がある。
【００２５】
もとより、軸受け15,16 を調節した位置に固定するロック手段を設けても良いのであり、このようにすると３段階以上に調節できる。なお、第２枢支軸８は軸受け15に一体に形成しても良く、この形態も請求項に含まれる。また、着座した状態でレバー19を操作することもできる。
【００２６】
【００２７】
図５に示す第２実施形態は、座体３の姿勢を変更できるようにしたものであるが、この実施形態では、支持フレーム２の前端部に軸受け15,16 を回転自在に装着して、この軸受け15,16 に、座体３の前部が取付く第１枢支軸（前枢支軸）６を偏心した状態で嵌め込む一方、座体３の後部は第２枢支軸（後枢支軸）８によって支持フレーム２に回動自在に枢支している。この場合、傾動体７も第２枢支軸８によって支持フレーム２に枢支している。また、軸受け15,16 は円板状のハンドル22で回転操作するようにしている。
【００２８】
なお、図6(B)に示すように、第１枢支軸６が嵌まる座受け体５のピン穴23を前後方向に延びる長穴に形成することにより、軸受け15,16 の回転を許容できるようにしている（図５の場合も同様である）。
【００２９】
【００３０】
【図面の簡単な説明】
【図１】第１実施形態に係る椅子の縦断側面図である。
【図２】図１のII−II視平面図である。
【図３】（Ａ）（Ｂ）とも要部の分離斜視図である。
【図４】作用を示す図である。
【図５】第２実施形態の概略図である。
【符号の説明】
２  支持フレーム
３  座体
４  背もたれ
５  座受け体
６  第１枢支軸（前枢支軸）
７  傾動体
８  第２枢支軸（後枢支軸）
９  第３枢支軸
13  ばね
15,16   軸受け
【図１】
0003644518.tif 000002
【図２】
0003644518.tif 000003
【図３】
0003644518.tif 000004
【図４】
0003644518.tif 000005
【図５】
0003644518.tif 000006